(57)【特許請求の範囲】
【請求項１】
靴の内底上に敷くことにより靴の足幅を着用者の足囲に適合させるための靴幅調整用靴中敷であって、靴の内底の外形に適合する外形と靴の内底上に敷かれたときに着用者の足囲に適合する足幅に調整することが可能な厚みとを有し、踵の側のベース部と足先側のトップ部とが、前記トップ部がベース部より柔軟でありかつ撓み易い異なる材料をもって射出成形により一連かつ一体に形成されており、前記ベース部とトップ部とは、ベース部とトップ部との境界部分が第２指乃至第５指の位置では中足骨の骨頭部に沿うように、第１指の位置では中足骨の骨頭部がトップ部に含まれるように、連設されて成る足幅調整用靴中敷。
【請求項２】
前記ベース部は、熱可塑性ポリウレタン樹脂により形成され、トップ部は熱可塑性ゴムまたはポリウレタンにより形成されている請求項１に記載の足幅調整用靴中敷。
【請求項３】
請求項１または２に記載された足幅調整用靴中敷が内底上に敷かれることにより着用者の足囲に適合する足幅に調整することが可能な靴であって、足の甲を覆う部分は、幅方向の断面形状が内底に向けて拡がる傾斜をもつ形状に形成されて成る靴。
【発明の詳細な説明】
【技術分野】
【０００１】
この発明は、靴の内底上に敷かれる中敷に関し、この発明は特に、靴の内底上に敷くことにより靴の足幅を着用者の足囲に適合させるための足幅調整用靴中敷と、その靴中敷が用いられた靴とに関する。
【背景技術】
【０００２】
一般に、靴を購入するとき、まず自分の好みに合ったデザインの靴を捜し、お気に入りの靴が見つかったとき、次に、自分の足に適合する足長および足幅の靴を選び出す。前記足幅は、着用者の足囲に応じてＢ，Ｅ，２Ｅなどの記号で表され、足囲が大きいほど足幅も大きくなる。ここで、「足囲」とは、足の親指の付け根から小指の付け根までをぐるり一周測ったときの長さをいう。
【０００３】
同じ足長および足幅の靴であっても、メーカーや製造方法が異なれば、履き心地が窮屈であったり、緩かったり、ぴったりフィットしたりする。お気に入りの靴が見つかっても、足長の合った靴がなければ、お気に入りの靴を断念せざるを得ないが、足長の合った靴である場合でも、足幅が合わなかったり、足幅が合っても履き心地がフィットしなかったりした場合は、お気に入りの靴を断念しなければならない。
【０００４】
足幅が合わない靴や足幅が合っても履き心地がフィットしない靴については、靴内底に中敷を敷くことで微調整することも可能であり、靴中敷として、足のサイズに合わせて大きさを変更できるようにした靴中敷などが提案されている（例えば、特許文献１参照）。一般に靴中敷は、足に対する靴のサイズ調整のほか、足裏へのクッション性の付与、汗の吸収などの目的で用いられており、合成ゴム、紙、多孔質材料など、種々の材料をもって平面形状が足裏形状に形成されている。
【先行技術文献】
【特許文献】
【０００５】
【特許文献１】特開平７−２３８０６
【発明の概要】
【発明が解決しようとする課題】
【０００６】
しかし、靴中敷の材質が柔軟であると、履き心地は良好であるが、足（特に踵）が安定しない。一方、靴中敷の材質が硬いと、足は安定するものの、歩行時、親指が曲がりにくく、自然で理想的な歩行動作が難しい。すなわち、理想的な歩行動作は、足が床面より離れる際、中足趾節関節が反るような形態（背屈位）で、主として第１指の中足骨の骨頭部（「拇指球」という。）を支点として床面を蹴り上げて離床するものであるところ、親指が曲がりにくいと、親指の部分の背屈が力強くかつ円滑に行われ難く、自然な歩行動作が難しくなり、外反母趾などの足の障害を招くおそれがある。
【０００７】
この発明は、上記の問題に着目してなされたもので、靴の内底上に敷くことにより靴の足幅を着用者の足囲に適合させることができるうえに、自然で理想的な歩行動作を支援して各種の足の障害の発生を防止できる足幅調整用靴中敷と、その足幅調整用靴中敷が用いられた靴とを提供することを目的とする。
また、この発明が他に目的とするところは、射出成形により容易に製作できるとともに、見栄え並びに着用感に優れた足幅調整用靴中敷を提供することにある。
【課題を解決するための手段】
【０００８】
この発明による足幅調整用靴中敷は、靴の内底上に敷くことにより靴の足幅を着用者の足囲に適合させるためのものであって、靴の内底の外形に適合する外形と靴の内底上に敷かれたときに着用者の足囲に適合する足幅に調整することが可能な厚みとを有し、踵の側のベース部と足先側のトップ部とが、前記トップ部がベース部より柔軟でありかつ撓み易い異なる材料をもって射出成形により一連かつ一体に形成されている。前記ベース部とトップ部とは、ベース部とトップ部との境界部分が第２指乃至第５指の位置では中足骨の骨頭部に沿うように、第１指の位置では中足骨の骨頭部がトップ部に含まれるように、連設されている。
【０００９】
上記した構成の足幅調整用靴中敷を、緩い履き心地の靴の内底上に敷いたとき、特に、足の甲を覆う部分が、幅方向の断面形状が内底に向けて拡がる傾斜をもつ形状に形成された靴においては、靴中敷の厚みに応じて靴の足幅が小さくなり、着用者の足囲に適合する足幅に調整され、履き心地がフィットする。ベース部はトップ部より硬く、撓み難い材料により形成されているので、足の踵が安定して支持される。ベース部とトップ部とは、金型内においてトップ部がベース部より柔軟でありかつ撓み易い異なる材料をもってそれぞれ成形されて一体に溶着されており、しかも、ベース部とトップ部とは、その境界部分が第２指乃至第５指の位置では中足骨の骨頭部に沿うように、第１指の位置では中足骨の骨頭部がトップ部に含まれるように、連設されているので、歩行時、親指が曲がり易く、親指の背屈が力強くかつ円滑に行われる。これに連動して、第２指〜第５指は各中足趾節関節において趾骨の背屈が円滑に行われる。これにより足の運動が理想的に行われ、自然な歩行動作が実現され、外反母趾などの障害を招くおそれがない。また、ベース部とトップ部とはその境界部分に段差がなく、全体が一連かつ一体であるので、見栄えがよいだけでなく、着用感に優れている。
【００１０】
この発明の好ましい実施態様によると、前記ベース部は、熱可塑性ポリウレタン樹脂により形成され、トップ部は熱可塑性ゴムまたはポリウレタンにより形成されている。
この実施態様によると、ベース部は可撓性を有するものの硬いため、踵が安定に保持される。また、トップ部は柔軟で撓み易いため、歩行時、親指の背屈が力強くかつ円滑に行われ、これに連動して第２指〜第５指も各中足趾節関節において趾骨の背屈が円滑に行われる。
【００１２】
この発明による靴は、上記した構成の足幅調整用靴中敷が内底上に敷かれることにより着用者の足囲に適合する足幅に調整することが可能な靴であって、足の甲を覆う部分は、幅方向の断面形状が内底に向けて拡がる傾斜をもつ形状に形成されている。
【００１３】
上記した構成の靴では、足幅調整用靴中敷を用いることによって靴の足幅が着用者の足囲に適合する足幅に調整されるので、この靴を着用して歩行すれば、足の運動が理想的に行われて自然な歩行動作が実現される。
【発明の効果】
【００１４】
この発明の足幅調整用靴中敷によると、靴の内底上に敷かれることにより靴の足幅を着用者の足囲に適合させることができるうえに、自然で理想的な歩行動作を支援して各種の足の障害の発生を防止できる。また、射出成形によって容易に製作でき、見栄えと着用感に優れた靴中敷が得られる。
【図面の簡単な説明】
【００１５】
【図１】この発明の一実施例である足幅調整用靴中敷の平面図である。
【図２】足幅調整用靴中敷の外形を足の骨格とともに示した平面図である。
【図３】図１の実施例の背面図である。
【図４】この発明の足幅調整用靴中敷が装着された靴の正面図である。
【図５】図４のＡ−Ａ線に沿う断面図である。
【図６】この発明に係る足幅調整用靴中敷の製法を示す説明図である。
【図７】射出成形の手順を示す金型の断面図である。
【発明を実施するための形態】
【００１６】
図１は、この発明の一実施例である足幅調整用靴中敷（以下単に「靴中敷」という。）１の表面の外観を示している。また、図２は、靴中敷１の外形（一点鎖線で示す。）を足２の骨格とともに示したものである。
図２において、２１ａ〜２１ｅは第１〜第５趾骨であり、２２ａ〜２２ｅおよび２３ａ〜２３ｅは第１〜第５趾骨２１ａ〜２１ｅの基節骨および末節骨、２４ｂ〜２４ｅは第２〜第５趾骨２１ｂ〜２１ｅの中足骨である。２５ａ〜２５ｅは第１〜第５中足趾節関節、２６ａ〜２６ｅは第１〜第５中足骨、２７は踵骨である。２８ａ〜２８ｅは第１〜第５中足骨２６ａ〜２６ｅの骨頭部を示し、特に、第１中足骨２６ａの骨頭部２８ａは「拇指球」と呼ばれるものである。なお、図示の靴中敷１は右足用であるが、左足用についても同様の構成であり、ここでは図示並びに説明を省略する。
【００１７】
図示例の靴中敷１は、図４および図５に示す靴６の内底６０上に敷かれもので、靴６の内底６０の外形に適合する外形を有し、靴６の内底６０上に敷かれたときに着用者の足囲に適合する足幅に調整することが可能な厚みに設定されている。一方、靴６は、靴中敷１が内底６０上に敷かれることで、着用者の足囲に適合する足幅に調整されるように、足の甲を覆う部分６１が、幅方向の断面形状が内底６０に向けて拡がる傾斜をもつ形状に形成されている。図中、６２，６３はその傾斜部分を示しており、傾斜部分６２，６３間の対向距離は内底６０から離れるにしたがって狭くなる。この実施例では、靴６の足幅（内底６０の幅）を広い幅（例えば４Ｅ）に設定してあり、厚みの異なる２種類の靴中敷１Ａ，１Ｂを選択して用いることにより、靴６の足幅が２ＥとＤとに調整できるようになっている。
【００１８】
上記の靴中敷１は、踵の側のベース部３と足先側のトップ部４とが異なる材料により一連かつ一体に形成されたものである。ベース部３は可撓性を有するものの、硬くて柔軟性がなく、荷重に対して容易に変形しない第１の材料、例えば熱可塑性ポリウレタン樹脂（ＴＰＵ）により形成されている。熱可塑性ポリウレタン樹脂は弾力性と硬質プラスチックのような強靭さを併せ持つ高分子化合物である。前記トップ部４は、ベース部３より柔軟でありかつ撓み易い第２の材料、例えば熱可塑性ゴム（ＴＰＲ）またはポリウレタン（ＰＵ）により形成されている。なお、ベース部３およびトップ部４は、上記の材料に代えて、例えば硬さが異なるエチレン酢酸ビニル共重合樹脂（ＥＶＡ）を用いて形成することもできる。
【００１９】
ベース部３とトップ部４とは、ベース部３とトップ部４との境界部分５が第２指乃至第５指の位置では中足骨２６ｂ〜２６ｅの骨頭部２８ｂ〜２８ｅに沿うように、第１指の位置では中足骨２６ａの骨頭部（拇指球）２８ａがトップ部４に含まれるように、連設されている。前記境界部分５は後述する射出成形によって熱溶着された部分である。このような構成によると、歩行時の離床期において、親指は拇指球が柔軟なトップ部４に位置するために曲がり易く、親指の背屈が力強くかつ円滑に行われる。これに連動して、第２指〜第５指は、中足骨２６ｂ〜２６ｅの骨頭部２８ｂ〜２８ｅが境界部分５に位置し、中足趾節関節２５ｂ〜２５ｅが柔軟なトップ部４に位置するので、第２〜第５趾骨２１ｂ〜２１ｅの背屈が円滑に行われる。
【００２０】
ベース部３およびトップ部４は、図１および図３に示すように、表面および裏面がフラットである。ベース部３とトップ部４とは厚さが均一であって一致し、境界部分５において段差は生じず、全体が一連かつ一体である。ベース部３およびトップ部４の裏面は、軽量化のために、全面にわたって円形の穴３１，４１が形成されている。
【００２１】
上記した構成の靴中敷１は、射出成形によって形成される。図６および図７には、靴中敷１を射出成形するのに用いられる成形機７および成形用の金型８の概略構成が示してある。図６において、７１はホッパー、７２はシリンダ、７３はヒータ、７４はスクリューであり、ホッパー７１より投入された前記の第１の材料はシリンダ７２内でヒータ７３により加熱されて溶融される。溶融された第１の材料はスクリュー７４により送られ、先端のノズル７５より金型８の第１の射出通路８１を介して型穴８ａ内に射出される（図６（１）参照）。
【００２２】
金型８は、一対の割型８０Ａ，８０Ｂにより構成されており、突き合わされた割型８０Ａ，８０Ｂ間に靴中敷１のベース部３を成形するための型穴８ａが形成されている。この型穴８ａに射出された第１の材料はそれが固まるまで金型８に入ったまま冷却される。
【００２３】
第１の材料が型穴８ａ内で固まることによりベース部３が成形され、次に、一方の割型８０Ｂを第２の割型８０Ｃと交換することにより、突き合わされた割型８０Ａ，８０Ｃ間に、靴中敷１のトップ部４を成形するための型穴８ｂが形づくられる（図６(２)参照）。
【００２４】
次に、同じ成形機７または他の同様の成形機７のホッパー７１より前記の第２の材料を投入することで、第２の材料はシリンダ７２内でヒータ７３により加熱されて溶融される。溶融された第２の材料はスクリュー７４により送られ、先端のノズル７５より金型８の第２の射出通路８２を介して型穴８ｂ内に射出される（図６（３）参照）。第２の材料が型穴８ｂ内で固まることによりベース部３と一体に溶着されたトップ部４が成形される。最後に金型８を開くことにより射出成形された靴中敷１が取り出される。
【００２５】
上記した構成の足幅調整用靴中敷１を、緩い履き心地の図４の靴６の内底６０上に敷いたとき、足の甲を覆う部分６１が、幅方向の断面形状が内底に向けて拡がる傾斜をもつ形状に形成されているので、靴中敷１の厚みに応じて靴６の足幅が小さくなり、着用者の足囲に適合する足幅に調整され、履き心地がフィットする。
【００２６】
ベース部３はトップ部４より硬く、撓み難い第１の材料により形成されているので、足の踵が安定して支持される。トップ部４はベース部３より柔軟で撓み易い第２の材料により形成されており、しかも、ベース部３とトップ部４とはその境界部分５が第２指乃至第５指の位置では中足骨２６ｂ〜２６ｅの骨頭部２８ｂ〜２８ｅに沿うように、第１指の位置では中足骨２６ａの骨頭部２８ａがトップ部４に含まれるように、連設されているので、歩行時、親指が曲がり易く、親指の背屈が力強くかつ円滑に行われる。これに連動して、第２指〜第５指は各中足趾節関節２５ｂ〜２５ｅにおいて趾骨２１ｂ〜２１ｅの背屈が円滑に行われる。これにより足の運動が理想的に行われ、自然な歩行動作が実現され、外反母趾などの障害を招くおそれがない。また、ベース部３とトップ部４とはその境界部分５に段差がなく、全体が一連かつ一体であるので、見栄えがよいだけでなく、段差がなく、着用感に優れている。
【符号の説明】
【００２７】
１    足幅調整用靴中敷
２    足
３    ベース部
４    トップ部
５    境界部分
６    靴
２１ａ〜２１ｅ  第１〜第５趾骨
２５ａ〜２５ｅ  第１〜第５中足趾骨関節
２６ａ〜２６ｅ  第１〜第５中足骨
２８ａ〜２８ｅ  第１〜第５中足骨の骨頭部
６０    内底
【要約】
【課題】靴の足幅を着用者の足囲に適合させることができるうえに、自然で理想的な歩行動作を支援して各種の足の障害の発生を防止できるようにする。
【解決手段】足幅調整用靴中敷１は、靴の内底上に敷くことにより靴の足幅を着用者の足囲に適合させるためのものであって、靴の内底の外形に適合する外形と靴の内底上に敷かれたときに着用者の足囲に適合する足幅に調整することが可能な厚みとを有し、踵の側のベース部３と足先側のトップ部４とが、トップ部４がベース部３より柔軟でありかつ撓み易い異なる材料により一連かつ一体に形成されている。ベース部３とトップ部４とは、ベース部３とトップ部４との境界部分５が第２指乃至第５指の位置では中足骨の骨頭部に沿うように、第１指の位置では中足骨の骨頭部がトップ部に含まれるように、連設されている。
【選択図】図１【図１】
0005837653.tif 000002
【図２】
0005837653.tif 000003
【図３】
0005837653.tif 000004
【図４】
0005837653.tif 000005
【図５】
0005837653.tif 000006
【図６】
0005837653.tif 000007
【図７】
0005837653.tif 000008